(57)【要約】【課題】  機器全体の外観を損なわず、機器全体の大型化を防ぎ、且つスピーカ部の音響空間を確保できる電子機器を提供する。【解決手段】  表面側にキー入力部６を有する第１ケース１と、この第１ケース１の表面側にキー入力部６と並んで配置されたスピーカ部７と、第１ケース１の裏面側に複数配置され、且つその複数のうち、手前側の２つがスピーカ部７に対応する複数の足部９と、スピーカ部７に対応する足部９を回転可能に保持し、その回転によりスピーカ部７に対し接離する方向に移動させるガイド部１５とを備えた。従って、足部９を回転させると、ガイド部１５によって足部９をスピーカ部７に対し接離する方向に移動させることができ、これによりスピーカ部７の音響空間を広くしたり狭くしたりすることができる。【選択図】        図４
2008257529.tif 000002
【特許請求の範囲】
【請求項１】
表面側にキー入力部を有する機器ケースと、
この機器ケースの前記表面側に前記キー入力部と並んで配置されたスピーカ部と、
前記機器ケースの裏面側に複数配置され、且つその複数のうちの少なくとも一部が前記スピーカ部に対応する複数の足部と、
前記スピーカ部とこれに対応する前記足部とをそのいずれかの回転により互いに接離する方向に移動させるガイド部と
を備えたことを特徴とする電子機器。
【請求項２】
前記スピーカ部に対応する前記足部は、前記機器ケースに対し回転可能に設けられており、前記ガイド部は、前記スピーカ部に対応する前記足部を、その回転動作に応じて、当該スピーカ部に対し接離する方向に移動させることを特徴とする請求項１に記載の電子機器。
【請求項３】
前記スピーカ部は、前記機器ケースに対し回転可能に設けられており、前記ガイド部は、前記スピーカ部をその回転動作に応じて、これに対応する前記足部に対し接離する方向に移動させることを特徴とする請求項１に記載の電子機器。
【請求項４】
前記スピーカ部とこれに対応する前記足部とは、互いに回転可能に連結されており、前記スピーカ部とこれに対応する前記足部とには、そのいずれか一方の回転動作に応じて、その他方に対し接離する方向に移動させる補助ガイド部が設けられていることを特徴とする請求項２または３に記載の電子機器。
【請求項５】
機器ケースと、
この機器ケースにその表面側に露出して設けられ、且つこの露出する表面にキートップが設けられた複数のキーを有するキー入力部と、
このキー入力部における前記複数のキーのうち、いずれかのキーにおける前記キートップの内面側に取り付けられたスピーカ部と
を備えたことを特徴とする電子機器。
【請求項６】
前記キートップの内面側に取り付けられる前記スピーカ部の前記キートップに対する接離方向の取付位置を変更するための取付変更手段を備えていることを特徴する請求項５に記載の電子機器。
【発明の詳細な説明】
【技術分野】
【０００１】
この発明は、電子辞書や電子手帳、モバイル、携帯型のパーソナルコンピュータなどのスピーカを備えた電子機器に関する。
【背景技術】
【０００２】
例えば、電子辞書などの携帯型の電子機器においては、特許文献１に記載されているように、キー入力部を有する第１ケースと、表示部を有する第２ケースと、第１、第２ケースを回転可能に連結するヒンジ部と、スピーカを搭載した報音装置とを備え、この報音装置を第１ケースにその表面の手前側と裏面側とに回転移動可能に取り付け、使用するときに報音装置を第１ケースの表面における手前側に回転移動させ、使用しないときに報音装置を第１ケースの裏面に回転移動させて重ねるように構成したものがある。
【特許文献１】特開２００５−９２５４８号
【発明の開示】
【発明が解決しようとする課題】
【０００３】
しかしながら、このような従来の電子機器では、報音装置に大きなスピーカを搭載することができても、使用しないときに報音装置を第１ケースの裏面に重ねて配置しているため、機器全体の厚みが厚くなり、機器全体が大型化するばかりか、機器全体の外観が損なわれるという問題がある。
【０００４】
この発明が解決しようとする課題は、機器全体の外観を損なわずに、機器全体の大型化を防ぎ、且つスピーカ部の音響空間を確保することができる電子機器を提供することである。
【課題を解決するための手段】
【０００５】
この発明は、上記課題を解決するために、次のような構成要素を備えている。
請求項１に記載の発明は、表面側にキー入力部を有する機器ケースと、この機器ケースの前記表面側に前記キー入力部と並んで配置されたスピーカ部と、前記機器ケースの裏面側に複数配置され、且つその複数のうちの少なくとも一部が前記スピーカ部に対応する複数の足部と、前記スピーカ部とこれに対応する前記足部とをそのいずれかの回転により互いに接離する方向に移動させるガイド部とを備えたことを特徴とする電子機器である。
【０００６】
請求項２に記載の発明は、前記スピーカ部に対応する前記足部が、前記機器ケースに対し回転可能に設けられており、前記ガイド部は、前記スピーカ部に対応する前記足部を、その回転動作に応じて、前記スピーカ部に対し接離する方向に移動させることを特徴とする請求項１に記載の電子機器である。
【０００７】
請求項３に記載の発明は、前記スピーカ部が、前記機器ケースに対し回転可能に設けられており、前記ガイド部は、前記スピーカ部をその回転動作に応じて、これに対応する前記足部に対し接離する方向に移動させることを特徴とする請求項１に記載の電子機器である。
【０００８】
請求項４に記載の発明は、前記スピーカ部とこれに対応する前記足部とが、互いに回転可能に連結されており、前記スピーカ部とこれに対応する前記足部とには、そのいずれか一方の回転動作に応じて、その他方に対し接離する方向に移動させる補助ガイド部が設けられていることを特徴とする請求項２または３に記載の電子機器である。
【０００９】
請求項５に記載の発明は、機器ケースと、この機器ケースにその表面側に露出して設けられ、且つこの露出する表面にキートップが設けられた複数のキーを有するキー入力部と、このキー入力部における前記複数のキーのうち、いずれかのキーにおける前記キートップの内面側に取り付けられたスピーカ部とを備えたことを特徴とする電子機器である。
【００１０】
請求項６に記載の発明は、前記キートップの内面側に取り付けられる前記スピーカ部の前記キートップに対する接離方向の取付位置を変更するための取付変更手段を備えていることを特徴する請求項５に記載の電子機器である。
【発明の効果】
【００１１】
この発明によれば、キー入力部のキー内を含む機器ケース内にスピーカ部を効率良く組み込むことにより、機器全体の外観を損なうことなく、機器全体の大型化を防ぎ、スピーカ部の音響空間を十分に確保することができる。
【発明を実施するための最良の形態】
【００１２】
（実施形態１）
以下、図１〜図８を参照して、この発明を電子辞書に適用した実施形態１について説明する。
この電子辞書は、図１および図２に示すように、第１ケース１と第２ケース２とを備え、この第１、第２ケース１、２をヒンジ部３によって開閉可能に連結し、使用するときにヒンジ部３を中心に第１、第２ケース１、２を回転させて開き、使用しないときにヒンジ部３を中心に第１、第２ケース１、２を回転させて互いに重ね合わせるように構成されている。
【００１３】
この場合、第１ケース１は、図２に示すように、上ケース４と下ケース５とを備えている。この第１ケース１には、図１に示すように、キー入力部６およびスピーカ部７が設けられており、第２ケース２には、液晶表示パネルやＥＬ（エレクトロルミネッセンス）表示パネルなどの平面型の表示部８が設けられている。すなわち、第１ケース１のキー入力部６およびスピーカ部７と、第２ケース２の表示部８とは、互いに対面する対向面側（図１ではいずれも表面側）にそれぞれ露呈して設けられている。
【００１４】
この第１ケース１のキー入力部６は、図１に示すように、アルファベットなどの文字キー６ａ、カーソルキーや決定キー、シフトキーなどの操作キー６ｂ、およびファンクションキー６ｃを備え、第１ケース１の上ケース４における手前側の両側部分を除いてほぼ全域に設けられている。また、スピーカ部７は、図１に示すように、第１ケース１の上ケース４における手前側の両側部分にそれぞれ設けられている。
【００１５】
一方、第１ケース１の下面には、図２および図３に示すように、複数の足部９が設けられている。この複数の足部９は、第１ケース１の下面、つまり下ケース５の下面におけるほぼ四隅にそれぞれ設けられており、この複数の足部９のうち、第１ケース１の下ケース５における手前側の両側に位置する２つの足部９は、図４および図５に示すように、上ケース４に設けられたスピーカ部７の下側に対応して設けられている。
【００１６】
すなわち、スピーカ部７は、図４に示すように、第１ケース１の上ケース４の下面に設けられた円筒状のスピーカ収納筒部１０と、このスピーカ収納筒部１０内に両面接着テープなどの接着部材１１によって取り付けられたスピーカ１２とを備えている。この場合、スピーカ収納筒部１０に対応する箇所の上ケース４には、図４に示すように、多数の放音孔１０ａが設けられている。また、スピーカ１２は、図４に示すように、その上面における外周部が接着部材１１によって多数の放音孔１０ａをほとんど塞ぐことなく、スピーカ収納筒部１０内に位置する上ケース４の下面に取り付けられている。
【００１７】
また、スピーカ部７に対応する２つの足部９は、図４〜図７に示すように、それぞれ円形状の足ケース１３と、この足ケース１３の下面に設けられたゴムなどの緩衝部材１４とを備え、足ケース１３が下ケース５のガイド部１５によって回転可能で且つ上下方向に移動可能に取り付けられるように構成されている。すなわち、足ケース１３は、図４および図５に示すように、円板状の底部１３ａと、この底部１３ａの上面外周に設けられたガイド筒部１３ｂとからなり、このガイド筒部１３ｂの内周面がスピーカ収納筒部１０の外周面に回転可能で且つ上下方向に移動可能な状態で嵌合するように構成されている。
【００１８】
ガイド部１５は、図６および図７に示すように、下ケース５に設けられた円筒部１６と、この円筒部１６に設けられた足ガイド溝１７とからなり、円筒部１６内に足部９の足ケース１３が回転可能に配置され、この足ケース１３の上部外周に設けられた突起部１８が足ガイド溝１７に沿って移動することにより、足ケース１３が回転しながら上下方向に移動するように構成されている。
【００１９】
すなわち、足ガイド溝１７は、図６および図７に示すように、円筒部１６に設けられた足ケース１３の突起部１８が挿入して移動する上側に開放された切欠部であり、円筒部１６の上部側から下部側に向けて傾斜する傾斜部１７ａが形成され、この傾斜部１７ａに沿って足ケース１３の突起部１８が移動することにより、図３に示す足ケース１３の回転角θ１の範囲内で、足ケース１３を第１ケース１に対して上下方向に移動させるように構成されている。
【００２０】
この場合、足ケース１３内には、図４および図５に示すように、足ケース１３の突起部１８を足ガイド溝１７の傾斜部１７ａに押し付けるためのばね部材２０が設けられている。このばね部材２０は、コイルばねであり、足ケース１３内に設けられた筒状のばね保持部２１内に配置され、その上部がスピーカ１２の下面に弾接し、足ケース１３を下方に付勢することにより、足ケース１３の突起部１８を足ガイド溝１７の傾斜部１７ａに弾力的に押し付けている。
【００２１】
これにより、足部９は、図７に示すように、足ケース１３の突起部１８がガイド部１５の足ガイド溝１７における傾斜部１７ａの上部に位置している状態では、図４に示すように、足ケース１３がばね部材２０のばね力に抗してスピーカ１２に最も接近した状態で、足ケース１３が下ケース５から下側に少し突出する。また、この足部９は、図７に示す状態で、足ケース１３を左側に回転させると、図７に２点鎖線で示すように、ばね部材２０のばね力によって足ケース１３の突起部１８がガイド部１５の足ガイド溝１７における傾斜部１７ａに沿って上部側から下部側に移動し、図５および図８に示すように、足ケース１３がスピーカ１２から下側に離れ、足ケース１３が下ケース５の下側に大きく突出する。
【００２２】
このように、この電子辞書によれば、キー入力部６およびスピーカ部７を有する第１ケース１と、表示部８を有する第２ケース２とを、ヒンジ部３によって開閉可能に連結した構成であるから、ヒンジ部３を中心に第１ケース１と第２ケース２とを回転させて開くと、図１に示すように、第１ケース１のキー入力部６およびスピーカ部７と、第２ケース２の表示部８とを、第１、第２ケース１、２の各上面側に露呈させることができ、これにより第２ケース２の表示部８を見ながら、第１ケース１のキー入力部６を操作することができると共に、第１ケース１のスピーカ部７で音声を聞くことができる。
【００２３】
この場合、第１ケース１の内部における上面側つまり上ケース４側にスピーカ部７が配置され、第１ケース１の下面側つまり下ケース５側に複数の足部９が配置され、この複数の足部９うち、少なくとも第１ケース１の手前側に位置する２つの足部９がスピーカ部７にそれぞれ対応した状態で、第１ケース１に対し回転可能に設けられ、この第１ケース１にはスピーカ部７と対応する足部９をその回転に応じてスピーカ部７に対し接離する方向に移動させるガイド部１５が設けられているので、第１ケース１内にスピーカ部７を効率良く組み込むことができると共に、足部９を回転させると、ガイド部１５によって足部９をスピーカ部７に対し接離する方向に移動させることができる。これにより、スピーカ部７の音響空間を広くすることができるので、機器全体の外観を損なうことなく、機器全体の大型化を防ぐことができると共に、スピーカ部７の音響空間を十分に確保することができる。
【００２４】
すなわち、足部９は、円形状の足ケース１３を備えており、ガイド部１５は、下ケース５に設けられた円筒部１６と、この円筒部１６に設けられた足ガイド溝１７とからなり、このガイド部１５の円筒部１６内に足部９の足ケース１３が回転可能に配置され、この足ケース１３の上部外周に設けられた突起部１８が足ガイド溝１７に沿って移動する構成であるから、足ケース１３を所定方向（図７では左方向）に回転させると、足ケース１３の突起部１８がガイド部１５の足ガイド溝１７における傾斜部１７ａに沿って上部側から下部側に移動することにより、足ケース１３をスピーカ１２から下側に離すことができ、これによりスピーカ部７の音響空間を広くすることができる。
【００２５】
また、足部９を上記と逆方向（図７では右方向）に回転させると、足ケース１３の突起部１８がガイド部１５の足ガイド溝１７における傾斜部１７ａに沿って下部側から上部側に移動することにより、足ケース１３をスピーカ１２に接近させることができる。これにより、足部９を第１ケース１内に移動させて足部９が第１ケース１の下面から突出する長さを小さくすることができるので、第１、第２ケース１、２を重ね合わせて携帯するときに、足部９が邪魔にならず、コンパクトに携帯することができる。
【００２６】
この場合、足部９の足ケース１３内には、足ケース１３の突起部１８を足ガイド溝１７の傾斜部１７ａに押し付けるためのばね部材２０が設けられ、このばね部材２０のばね力によって足ケース１３が下方に付勢されているので、足ケース１３の突起部１８を足ガイド溝１７の傾斜部１７ａに弾力的に押し付けることができる。このため、足ケース１３を回転させるときに、足ケース１３の突起部１８を足ガイド溝１７の傾斜部１７ａに沿って確実に移動させることができる。
【００２７】
これにより、足部９をスピーカ部７に対し接離する方向に確実に移動させることができると共に、ばね部材２０のばね力によって足部９を弾力的に保持することができるので、第１ケース１に対する足部９のガタツキを確実に且つ良好に抑えることができる。このため、図８に示すように、第１ケース１を卓上などの載置面上に載置した際、第１ケース１を足部９によって安定した状態で載置することができるので、良好に使用することができる。
【００２８】
（実施形態２）
次に、図９〜図１１を参照して、この発明を電子辞書に適用した実施形態２について説明する。なお、図１〜図８に示された実施形態１と同一部分には同一符号を付して説明する。
この電子辞書は、足部９に代えて、スピーカ部２５がその回転により上下方向に移動する構成であり、これ以外は実施形態１とほぼ同じ構成なっている。
【００２９】
すなわち、足部９は、実施形態１と同様、円形状の足ケース１３と、この足ケース１３の下面に設けられたゴムなどの緩衝部材１４とを備えているが、図１０および図１１に示すように、足ケース１３が第１ケース１の下ケース５に一体に形成され、これにより足ケース１３が第１ケース１の下ケース５に対し回転および上下方向に移動しないように構成されている。
【００３０】
一方、スピーカ部２５は、図１０および図１１に示すように、円筒状のスピーカケース２６と、このスピーカケース２６内に両面接着テープなどの接着部材１１によって取り付けられたスピーカ１２とを備え、図９に示すように、第１ケース１の上ケース４における手前側の両側（図９では右側のみを示す）に、足部９の上側に対応した状態で、回転可能で且つ上下方向に移動可能に設けられている。
【００３１】
この場合、スピーカケース２６は、図１０および図１１に示すように、多数の放音孔１０ａが設けられた円板状の上板部２６ａと、この上板部２６ａの下面外周に設けられたガイド筒部２６ｂとからなり、このガイド筒部２６ｂの内周面が足部９の足ケース１３の外周面に回転可能で且つ上下方向に移動可能な状態で嵌合すると共に、ガイド筒部２６ｂの外周面が上ケース４のガイド部２７によって回転可能で且つ上下方向に移動可能な状態で嵌合するように構成されている。
【００３２】
すなわち、ガイド部２７は、図１０および図１１に示すように、上ケース４に設けられた円筒部２８と、この円筒部２８に設けられたスピーカガイド溝２９とからなり、円筒部２８内にスピーカケース２６が回転可能に配置され、このスピーカケース２６の下部外周に設けられた突起部１８がスピーカガイド溝２９に沿って移動することにより、スピーカケース２６が回転しながら上下方向に移動するように構成されている。
【００３３】
この場合にも、スピーカガイド溝２９は、スピーカケース２６に設けられた突起部１８が挿入して移動する下側に開放された切欠部（図６の足ガイド溝１７と上下逆に設けられた切欠部）であり、上ケース４の円筒部２８の下部側から上部側に向けて傾斜する傾斜部（図６の傾斜部１７ａと上下逆に形成された傾斜部）が形成され、この傾斜部に沿ってスピーカケース２６の突起部１８が移動することにより、図９に示すスピーカケース２６の回転角θ１の範囲内で、スピーカケース２６を上下方向に移動させるように構成されている。
【００３４】
また、このスピーカケース２６内には、図１０および図１１に示すように、スピーカケース２６の突起部１８をスピーカガイド溝２９の傾斜部に押し付けるためのばね部材２０が設けられている。このばね部材２０も、実施形態１と同様、コイルばねであり、足ケース１３内に設けられた筒状のばね保持部２１内に配置され、その上部がスピーカ１２の下面に弾接し、スピーカケース２６を上方に付勢することにより、スピーカケース２６の突起部１８をスピーカガイド溝２９の傾斜部に弾力的に押し付けている。
【００３５】
これにより、スピーカ部２５は、スピーカケース２６の突起部１８がガイド部２７のスピーカガイド溝２９における傾斜部の下部に位置している状態では、図１０に示すように、スピーカケース２６が、ばね部材２０のばね力に抗して足部９に最も接近した状態で、上ケース４内に没入する。また、このスピーカ部２５は、図１０に示す状態で、スピーカケース２６を所定方向に回転させると、実施形態１と同様、ばね部材２０のばね力によってスピーカケース２６の突起部１８がガイド部２７のスピーカガイド溝２９における傾斜部に沿って下部側から上部側に移動し、図１１に示すように、スピーカケース２６が足部９から上方に離れて上ケース４の上側に突出する。
【００３６】
このような電子辞書によれば、第１ケース１の下面側つまり下ケース５に複数の足部９が設けられ、この複数の足部９うち、第１ケース１の手前側に位置する足部９に対応する箇所の第１ケース１の上面側つまり上ケース４側にスピーカ部２５が回転可能に設けられ、この第１ケース１にはスピーカ部２５を、その回転動作に応じて、足部９に対し接離する方向に移動させるガイド部２７が設けられているので、実施形態１と同様、第１ケース１内にスピーカ部２５を効率良く組み込むことができると共に、スピーカ部２５を回転させると、ガイド部２７によってスピーカ部２５を足部９に対し接離する方向に移動させることができる。これにより、スピーカ部２５の音響空間を広くすることができるので、機器全体の外観を損なうことなく、機器全体の大型化を防ぐことができると共に、スピーカ部２５の音響空間を十分に確保することができる。
【００３７】
すなわち、スピーカ部２５は、円筒状のスピーカケース２６を備えており、ガイド部２７は、上ケース４に設けられた円筒部２８と、この円筒部２８に設けられたスピーカガイド溝２９とからなり、このガイド部２７の円筒部２８内にスピーカ部２５のスピーカケース２６が回転可能に配置され、このスピーカケース２６の下部外周に設けられた突起部１８がスピーカガイド溝２９に沿って移動する構成であるから、スピーカケース２６を所定方向に回転させると、スピーカケース２６の突起部１８がガイド部２７のスピーカガイド溝２９における傾斜部に沿って下部側から上部側に移動することにより、スピーカケース２６を足部９から上方に離すことができ、これによりスピーカ部２５の音響空間を広くすることができる。
【００３８】
また、スピーカ部２５を上記と逆方向に回転させると、スピーカケース２６の突起部１８がガイド部２７のスピーカガイド溝２９における傾斜部に沿って上部側から下部側に移動することにより、スピーカケース２６を足部９に接近させることができる。これにより、スピーカ部２５を第１ケース１の内部に向けて移動させて第１ケース１内に没入させることができるので、第１、第２ケース１、２を重ね合わせて閉じるときに、スピーカ部２５が邪魔にならず、第１、第２ケース１、２を良好に重ね合わせることができ、これによりコンパクトに携帯することができる。
【００３９】
この場合にも、スピーカ部２５のスピーカケース２６内には、スピーカケース２６の突起部１８をスピーカガイド溝２９の傾斜部に押し付けるためのばね部材２０が設けられ、このばね部材２０のばね力によってスピーカケース２６が上方に付勢されているので、スピーカケース２６の突起部１８をスピーカガイド溝２９の傾斜部に弾力的に押し付けることができる。このため、スピーカケース２６を回転させるときに、スピーカケース２６の突起部１８をスピーカガイド溝２９の傾斜部に沿って確実に移動させることができ、またばね部材２０のばね力でスピーカ部２５を弾力的に保持することができるので、第１ケース１に対するスピーカ部２５のガタツキを確実に且つ良好に抑えることができる。
【００４０】
（実施形態３）
次に、図１２〜図１９を参照して、この発明を電子辞書に適用した実施形態３について説明する。この場合には、図１〜図８に示された実施形態１、および図９〜図１１に示された実施形態２と同一部分に同一符号を付して説明する。
この電子辞書は、スピーカ部３０と足部３１との両方がそれぞれの回転により上下方向に移動する構成であり、これ以外は実施形態１、２とほぼ同じ構成なっている。
【００４１】
すなわち、スピーカ部３０は、図１２〜図１４に示すように、円筒状のスピーカケース２６と、このスピーカケース２６内に両面接着テープなどの接着部材１１によって取り付けられたスピーカ１２とを備え、実施形態２と同様、第１ケース１の上ケース４における手前側の両側に位置した状態で、足部３１の上側に対応して設けられている。
【００４２】
この場合にも、スピーカケース２６は、図１２〜図１４、図１８に示すように、多数の放音孔１０ａが設けられた円板状の上板部２６ａと、この上板部２６ａの下面外周に設けられたガイド筒部２６ｂとからなり、実施形態２と同様、ガイド筒部２６ｂの外周面が上ケース４のガイド部３２によって回転可能で且つ上下方向に移動可能に取り付けられた構成になっている。
【００４３】
すなわち、ガイド部３２は、実施形態２と同様、上ケース４に設けられた円筒部２８と、この円筒部２８に設けられたスピーカガイド溝２９とからなり、図１５〜図１８に示すように、円筒部２８内にスピーカケース２６が回転可能に配置され、このスピーカケース２６の下部外周に設けられた外側突起部３３がスピーカガイド溝２９に沿って移動することにより、スピーカケース２６が回転しながら上下方向に移動するように構成されている。
【００４４】
この場合、スピーカガイド溝２９も、実施形態２と同様、スピーカケース２６に設けられた外側突起部３３が挿入して移動する下側に開放された切欠部（図６の足ガイド溝１７と上下逆に設けられた切欠部）であり、上ケース４の円筒部２８の下部側から上部側に向けて傾斜する傾斜部（図６の傾斜部１７ａと上下逆に形成された傾斜部）が形成され、この傾斜部に沿ってスピーカケース２６の外側突起部３３が移動することにより、スピーカケース２６を上下方向に移動させるように構成されている。
【００４５】
一方、足部３１は、実施形態１と同様、第１ケース１の下面におけるほぼ四隅のうち、第１ケース１の手前側における両側に位置し、スピーカ部３０の下側に対応して設けられている。このスピーカ部３０に対応する足部３１は、図１２〜図１４に示すように、円形状の足ケース１３と、この足ケース１３の下面に設けられたゴムなどの緩衝部材１４とを備え、足ケース１３が補助ガイド部３４によってスピーカ部３０に対し回転可能で且つ上下方向に移動可能に連結された構成になっている。
【００４６】
すなわち、足ケース１３は、図１２〜図１７、図１９に示すように、円板状の底部１３ａと、この底部１３ａの上面外周に設けられたガイド筒部１３ｂとからなり、このガイド筒部１３ｂの外周面がスピーカ部３０のスピーカケース２６の内周面に沿って回転しながら上下方向に移動するように構成されている。補助ガイド部３４は、図１５〜図１７に示すように、スピーカケース２６の下部内周面に設けられた内側突起部３５と、足ケース１３のガイド筒部１３ｂに設けられて内側突起部３５が挿入して移動する足ガイド溝３６とを備えている。
【００４７】
この足ガイド溝３６は、図１５〜図１７に示すように、足ケース１３のガイド筒部１３ａの上部側から下部側に向けて段階的に傾斜する傾斜部３６ａが形成され、この傾斜部３６ａに沿ってスピーカケース２６の内側突起部３５が移動することにより、足ケース１３を回転させながら上下方向に移動させるように構成されている。すなわち、この足ガイド溝３６は、図１５〜図１７、図１９に示すように、スピーカケース２６の内側突起部３６を、最下部の第１位置Ｐ１、中間部の第２位置Ｐ２、最上部の第３位置Ｐ３の３段階に位置規制するように構成されている。
【００４８】
この場合にも、足ケース１３とスピーカケース２６との内部には、図１２〜図１４に示すように、ばね部材２０が設けられている。このばね部材２０も、コイルばねであり、足ケース１３内に設けられた筒状のばね保持部２１内に配置され、その上部がスピーカ１２の下面に弾接し、足ケース１３を下方に付勢すると共に、スピーカケース２６を上方に付勢することにより、スピーカケース２６の外側突起部３３をガイド部３２のスピーカガイド溝３４に弾力的に押し付けると共に、補助ガイド部３４であるスピーカケース２６の内側突起部３５を足ガイド溝３６の傾斜部３６ａに弾力的に押し付けている。
【００４９】
これにより、スピーカ部３０は、スピーカケース２６の外側突起部３３がガイド部３２のスピーカガイド溝２９における下部に位置し、且つスピーカケース２６の内側突起部３５が足ケース１３の足ガイド溝３６における傾斜部３６ａの最下部の第１位置Ｐ１に位置している状態では、図１２および図１５に示すように、スピーカ部３０のスピーカケース２６がばね部材２０のばね力に抗して上ケース４内に没入すると共に、足部３１の足ケース１３が下ケース５内に最も挿入し、スピーカ部３０および足部３１における内部の音響空間が最も狭くなる。
【００５０】
また、このスピーカ部３０は、図１２および図１５に示す状態で、スピーカケース２６を右側に回転させると、実施形態２と同様、ばね部材２０のばね力によってスピーカケース２６の外側突起部３３がガイド部３２のスピーカガイド溝２９に沿って下部側から上部側に移動する共に、補助ガイド部３４であるスピーカケース２６の内側突起部３５が足ケース１３の足ガイド溝３６における傾斜部３６ａの中間部の第２位置Ｐ２に移動し、図１３および図１６に示すように、スピーカケース２６が上ケース４の上側に突出し、スピーカ部３０が足部３１から離れ、スピーカ部３０および足部３１における内部の音響空間が広がる。
【００５１】
そして、図１３および図１６に示す状態で、足部３１の足ケース１３をスピーカケース２６と上記と逆方向（図１６では右方向）に回転させると、ばね部材２０のばね力によって補助ガイド部３４であるスピーカケース２６の内側突起部３５が足ケース１３の足ガイド溝３６における傾斜部３６ａの最上部の第３位置Ｐ３に移動し、図１４および図１７に示すように、足ケース１３が下ケース５の下側に突出し、足部３１がスピーカ部３０から下側に離れ、スピーカ部３０および足部３１における内部の音響空間が最も広くなる。このときには、足ケース１３が下ケース５から抜け出さないように、足ケース１３の外周面に設けられた抜け止め部３７が下ケース５の内側上面に当接する。
【００５２】
このように、この電子辞書によれば、第１ケース１の内部における上面側つまり上ケース４に対しスピーカ部３０が回転可能に設けられ、第１ケース１の下面側つまり下ケース５に対し足部３１がスピーカ部３０と対応した状態で回転可能に設けられ、ガイド部３２および補助ガイド部３４によってスピーカ部３０と足部３１とをそれぞれの回転により接離する方向に移動させる構成であるから、実施形態１、２と同様、第１ケース１内にスピーカ部３０を効率良く組み込むことができると共に、スピーカ部３０と足部３１とのいずれかを回転させることにより、ガイド部３２と補助ガイド部３４とによってスピーカ部３０と足部３１とのいずれかを上下方向に相対的に移動させることができる。これにより、スピーカ部３０の音響空間を広くすることができるので、機器全体の外観を損なうことなく、機器全体の大型化を防ぎ、スピーカ部３０の音響空間を十分に確保することができる。
【００５３】
すなわち、スピーカ部３０は、円筒状のスピーカケース２６を備えており、ガイド部３２は、上ケース４に設けられてスピーカケース２６が回転可能に配置された円筒部２８と、この円筒部２８に設けられたスピーカガイド溝２９とからなり、スピーカケース２６の外側突起部３３がスピーカガイド溝２９に沿って移動する構成であるから、実施形態２と同様、スピーカケース２６を所定方向（図１５では右方向）に回転させると、スピーカケース２６の外側突起部３３がガイド部３２のスピーカガイド溝２９に沿って下部側から上部側に移動することにより、スピーカケース２６を足部３１の上方に離すことができ、これによりスピーカ部３０の音響空間を広くすることができる。
【００５４】
また、足部３１は、足ケース１３のガイド筒部１３ｂに設けられた足ガイド溝３６と、スピーカケース２６に設けられて足ガイド溝３６に沿って移動する内側突起部３５６とからなる補助ガイド部３４によって、足ケース１３がその回転により上下方向に移動するように構成されているので、足ケース１３を所定方向（図１６では左方向）回転させると、スピーカケース２６は回転せず、スピーカケース２６の内側突起部３５が足ケース１３の足ガイド溝３６における傾斜部３６ａに沿って下部側から上部側に相対的に移動することにより、ばね部材２０のばね力によって足ケース１３をスピーカ部３０から下側に離すことができ、これによりスピーカ部７の音響空間を広くすることができる。
【００５５】
この場合、スピーカ部３０のスピーカケース２６を回転させて、スピーカケース２６の外側突起部３３をガイド部３２のスピーカガイド溝２９に沿って下部側から上部側に移動させるときには、スピーカケース２６の内側突起部３５が足ケース１３の足ガイド溝３６における傾斜部３６ａに沿って下部側から上部側に移動するので、足ケース１３は上下方向に移動せず、スピーカケース２６のみを上方に移動させることができる。また、足ケース１３を所定方向に回転させたときには、スピーカケース２６は上下に移動せず、足ケース１３のみを下方に移動させることができる。
【００５６】
さらに、スピーカ部３０と足部３１とをそれぞれ上記と逆方向に回転させると、スピーカケース２６と足ケース１３とがスピーカガイド溝２９と足ガイド溝３６とに沿って上下方向に移動することにより、スピーカケース２６と足ケース１３を互いに接近させることができる。これにより、スピーカ部３０を第１ケース１内に移動させて没入させることができると共に、足部３１を第１ケース１内に移動させて足部３１が第１ケース１の下側に突出する長さを小さくすることができるので、第１、第２ケース１、２を重ね合わせて閉じるときに、スピーカ部３０および足部３１が邪魔にならず、第１、第２ケース１、２を良好に重ね合わせることができ、これによりコンパクトに携帯することができる。
【００５７】
また、この場合にも、スピーカケース２６および足ケース１３の内部に、スピーカケース２６の外側突起部３３をスピーカガイド溝２９に押し付けると共に、スピーカケース２６の内側突起部３５を足ケース１３の足ガイド溝３６に押し付けるためのばね部材２０が設けられ、このばね部材２０のばね力によってスピーカケース２６が上方に付勢されていると共に、足ケース１３が下方に付勢されているので、スピーカケース２６の外側突起部３３をスピーカガイド溝２９に弾力的に押し付けることができると共に、スピーカケース２６の内側突起部３５を足ケース１３の足ガイド溝３６に押し付けることができる。
【００５８】
このため、図１２〜図１７に示すように、スピーカ部３０のスピーカケース２６と足部３１の足ケース１３とを回転させるときに、スピーカケース２６をスピーカガイド溝２９に沿って確実に上下方向に移動させることができると共に、足ケース１３を足ガイド溝３６に沿って確実に上下方向に移動させることができる。これにより、ばね部材２０のばね力によってスピーカ部３０と足部３１とを弾力的に保持することができるので、第１ケース１に対するスピーカ部３０と足部３１とのガタツキを確実に且つ良好に抑えることができる。このときにも、実施形態１と同様、第１ケース１を卓上などの載置面上に載置した際、第１ケース１を足部３１によって安定した状態で載置することができる。
【００５９】
なお、上記実施形態３では、スピーカ部３０をガイド部３２によって第１ケース１の上ケース４に対し回転可能で且つ上下方向に移動するように構成し、足部３１を補助ガイド部３４によってスピーカ部３０に対し回転可能で且つ上下方向に移動するように構成した場合について述べたが、これに限らず、例えば足部３１をガイド部３２によって第１ケース１の下ケース５に対し回転可能で且つ上下方向に移動するように構成し、スピーカ部３０を補助ガイド部３４によって足部３１に対し回転可能で且つ上下方向に移動するように構成しても良い。
【００６０】
（実施形態４）
次に、図２０〜図２４を参照して、この発明を電子辞書に適用した実施形態４について説明する。この場合にも、図１〜図８に示された実施形態１と同一部分に同一符号を付して説明する。
この電子辞書は、図２０に示すように、第１ケース１に設けられたキー入力部６の各種のキー６ａ、６ｂ、６ｃのうち、サイズの大きなキー４０にスピーカ部４１を設けた構成であり、これ以外は実施形態１とほぼ同じ構成なっている。
【００６１】
すなわち、キー入力部６は、図２１に示すように、第１ケース１内に配置されてキー入力部６の領域に対応する大きさのスイッチ基板４２と、このスイッチ基板４２上に配置されたキーシート４３とを備えている。スイッチ基板４２の上面には、図２１および図２２に示すように、一対の固定接点４４が各種のキー６ａ、６ｂ、６ｃにそれぞれ対応して多数設けられている。キーシート４３は、ゴムシートからなり、各種のキー６ａ、６ｂ、６ｃにそれぞれ対応して第１ケース１の上方に露出するドーム部４３ａがそれぞれ膨出形成されている。
【００６２】
この場合、キーシート４３の各ドーム部４３ａ上には、図２１および図２４（同図では下側）に示すように、それぞれキートップ４５が設けられている。また、キーシート４３の各ドーム部４３ａの内面には、図２１、図２３、および図２４に示すように、それぞれ可動接点４６が設けられている。これによりキーシート４３は、キートップ４５が上から押されると、ドーム部４３ａが弾性変形して可動接点４６が一対の固定接点４４に接触することにより、一対の固定接点４４同士を導通させるように構成されている。
【００６３】
ところで、このキー入力部６の各キー６ａ、６ｂ、６ｃのうち、例えば操作キー６ｂの決定キーなどのようなサイズの大きいキー４０は、図２０および図２１に示すように、通常のキー６ａにおける２倍の長さだけ横方向に長く形成されている。すなわち、このキー４０は、図２２に示すように、横長の長方形状に形成された一対の固定接点４４の領域内に２つの円形孔４７がスイッチ基板４２の上下に貫通して設けられた構成になっている。
【００６４】
また、このキー４０は、図２３および図２４に示すように、キーシート４３のドーム部４３ａに２つの円形孔４８がスイッチ基板４２の円形孔４７と対応して設けられている。一方、スピーカ部４１は、図２１および図２４に示すように、ドーム部４３ａの円形孔４８に対応する箇所のキートップ４５にそれぞれ上下に貫通して設けられた多数の放音孔４８ａと、ドーム部４３ａの円形孔４８に対応する箇所のキートップ４５の下面にそれぞれ両面接着テープなどの接着部材１１によって取り付けられた２つのスピーカ５０とを備えている。
【００６５】
この２つのスピーカ５０は、図２１に示すように、その下部がスイッチ基板４２の２つの円形孔４７内に上下方向に移動可能に挿入された状態で、リード線４９によってスイッチ基板４２と電気的に接続されている。このため、スピーカ部４１の音響空間は、図２１に示すように、スイッチ基板４２の円形孔４７と下ケース５との間、つまりスイッチ基板４２と下ケース５との間に形成されている。
【００６６】
これにより、キー４０は、図２１に示すように、キートップ４５を上方から指で押して、キーシート４３のドーム部４３ａを弾性変形させると、スピーカ５０がスイッチ基板４２の円形孔４７からスイッチ基板４２の下側に移動し、ドーム部４３ａの可動接点部４６がスイッチ基板４２の一対の固定接点４４に接触して一対の固定接点４４同士を導通させることにより、スイッチ信号を出力し、またキートップ４５から指を離すと、キーシート４３のドーム部４３ａが元の状態に弾性復帰し、可動接点４６がスイッチ基板４２の一対の固定接点４４から上方に離れるように構成されている。
【００６７】
このような電子辞書によれば、スピーカ部４１をキー４０のキートップ４５の内面に設けているので、機器全体の外観を損なうことなく、キーシート４３のドーム部４３ａの厚みを利用して、第１ケース１内にスピーカ部４１を効率良く組み込むことができる。これにより、機器全体をコンパクトに構成することができると共に、第１ケース１にスピーカ部４１を設けても、第１ケース１にスピーカ部４１の専用のスペースが不要であるから、その分、キー入力部６の設置領域を広くすることができる。
【００６８】
この場合、スピーカ部４１は、スピーカ５０がキートップ４５の内面に設けられ、その下部がスイッチ基板４２の円形孔４７内に上下方向に移動可能に挿入されているので、キースイッチとしての機能を損なうことなく、キー操作性を確保することができると共に、スピーカ部４１の音響空間をスイッチ基板４２と下ケース５との間に広く設けることができ、これにより音響空間を良好に且つ十分に確保することができる。
【００６９】
（実施形態５）
次に、図２５〜図２７を参照して、この発明を電子辞書に適用した実施形態５について説明する。この場合には、図２０〜図２４に示された実施形態４と同一部分に同一符号を付して説明する。
この電子辞書は、図２５に示すように、キー４０のキートップ４５の内面にスピーカ５０を螺着させた構成であり、これ以外は実施形態４とほぼ同じ構成なっている。
【００７０】
すなわち、キートップ４５の内面（図２５では下面）には、図２５〜図２７に示すように、２つの円筒部５１が、キーシート４３のドーム部４３ａに設けられた２つの円形孔４８内に対応した状態で設けられている。この２つの円筒部５１は、スイッチ基板４２の円形孔４７内にそれぞれ挿入する大きさに形成されている。この円筒部５１の内面には、雌ねじ５２が設けられている。また、スピーカ５０は、図２５および図２７に示すように、その外周面に雄ねじ５３が設けられ、この雄ねじ５３が円筒部５１の雌ねじ５２に螺合することにより、円筒部５１内に取り付けられるように構成されている。
【００７１】
このような電子辞書によれば、実施形態４と同様の効果があるほか、キートップ４５の円筒部５１内にスピーカ５０を螺合させて締め付けることにより、スピーカ５０をキートップ４５に確実に固定することができる。この場合、キートップ４５の円筒部５１内にスピーカ５０を螺合させるときに、その螺入する深さ、つまりスピーカ５０の取付位置を調整することにより、キートップ４５とスピーカ５０との間にも音響空間を形成することができ、これにより最適な音響空間を設けることができる。
【００７２】
（実施形態６）
次に、図２８〜図３０を参照して、この発明を電子辞書に適用した実施形態６について説明する。この場合にも、図２０〜図２４に示された実施形態４と同一部分に同一符号を付して説明する。
この電子辞書は、キー４０のキートップ４５の内面にスピーカ５５が、その取付高さを段階的に変えて取り付けられるようにした構成であり、これ以外は実施形態４とほぼ同じ構成なっている。
【００７３】
すなわち、スイッチ基板４２におけるキー４０と対応する箇所には、２つの四角形孔５６が設けられており、キー４０のキートップ４５の内面には、図２９および図３０に示すように、スイッチ基板４２の四角形孔５６内にそれぞれ挿入する２つの保持部５７が設けられている。この２つの保持部５７は、それぞれ互いに対向する一対の保持壁からなり、互いに対向する内面には、それぞれ複数の保持溝５７ａが上下方向に一定間隔で設けられている。
【００７４】
また、スピーカ５５は、図２９に示すように、全体がスイッチ基板４２の四角形孔５６内に挿入する大きさの四角形状に形成され、その外側面に複数の係合突起５５ａが設けられ、この係合突起５５ａが保持部５７の複数の保持溝５７ａに側方からスライド可能に挿入し、これにより保持部５７に取り付けられている。この場合、スピーカ５５は、保持部５７の複数の保持溝５７ａに対する係合突起５５ａの噛み合わせ位置を変えることにより、保持部５７に対するスピーカ５５の取付高さが段階的に変わるように構成されている。
【００７５】
このような電子辞書によれば、実施形態４と同様の効果があるほか、キートップ４５の保持部５７にスピーカ５５を取り付けるときに、保持部５７の複数の保持溝５７ａに対するスピーカ５５の係合突起５５ａの噛み合わせ位置を変えることにより、保持部５７に対するスピーカ５５の取付高さを段階的に変えることができるので、キートップ４５とスピーカ５５との間の音響空間を段階的に変えることができ、これにより最適な音響空間を設けることができる。
【００７６】
なお、上記実施形態１〜６では、第１ケース１と第２ケース２とをヒンジ部３によって開閉可能に連結した折り畳み式の電子辞書に適用した場合について述べたが、これに限らず、例えば１つの機器ケースにキー入力部、表示部、スピーカ部を設けた電子辞書にも適用することができる。この場合には、機器ケースの表面側にキー入力部、表示部、スピーカ部を設け、機器ケースの裏面側に複数の足部を設け、この複数の足部のうちの一部をスピーカに対応させた構成にすれば良く、またキー入力部における複数のキーのいずれかにスピーカ部を設けた構成にすれば良い。
【００７７】
また、上記実施形態１〜６では、電子辞書に適用した場合について述べたが、必ずしも電子辞書である必要はなく、電子手帳やモバイル、携帯型のパーソナルコンピュータ（ＰＤＡ）などの各種の電子機器に広く適用することができる。
【図面の簡単な説明】
【００７８】
【図１】この発明を電子辞書に適用した実施形態１の正面図である。
【図２】図１の電子辞書の側面図である。
【図３】図１の電子辞書における第１ケースの底面図である。
【図４】図１のＡ−Ａ矢視における要部の拡大断面図である。
【図５】図４の足部を回転させて第１ケースの下側に突出させた状態を示した要部の拡大断面図である。
【図６】図４の足部の突起部と第１ケースのガイド部に設けられた足ガイド溝との対応関係を分解して示した側面図である。
【図７】図６の足部と第１ケースのガイド部とを組み合わせた状態を示した側面図である。
【図８】図２の状態において足部を第１ケースの下側に突出させた状態を示した側面図である。
【図９】この発明を電子辞書に適用した実施形態２において要部を拡大して示した正面図である。
【図１０】図９のＢ−Ｂ矢視における要部の拡大断面図である。
【図１１】図１０の状態でスピーカ部を第１ケースの上方に突出させた状態を示した要部の拡大断面図である。
【図１２】この発明を電子辞書に適用した実施形態３において要部を拡大して示した断面図である。
【図１３】図１２の状態でスピーカ部を第１ケースの上方に突出させた状態を示した要部の拡大断面図である。
【図１４】図１３の状態で足部を第１ケースの下方に突出させた状態を示した要部の拡大断面図である。
【図１５】図１２の状態におけるスピーカ部と足部と第１ケースとの対応関係を示した分解図である。
【図１６】図１３の状態におけるスピーカ部と足部と第１ケースとの対応関係を示した分解図である。
【図１７】図１４の状態におけるスピーカ部と足部と第１ケースとの対応関係を示した分解図である。
【図１８】図１５のスピーカ部におけるスピーカケースを下から見た図である。
【図１９】図１５の足部における足ケースを上から見た図である。
【図２０】この発明を電子辞書に適用した実施形態４の正面図である。
【図２１】図２０のＣ−Ｃ矢視における要部の拡大断面図である。
【図２２】図２１のスイッチ基板の要部を示した拡大平面図である。
【図２３】図２１のキートップを下から見た状態を示した要部の拡大図である。
【図２４】図２３のＤ−Ｄ矢視における要部の拡大断面図である。
【図２５】この発明を電子辞書に適用した実施形態５において要部を示した拡大断面図である。
【図２６】図２５のキートップを下から見た状態を示した要部の拡大図である。
【図２７】図２６のＥ−Ｅ矢視においてスピーカを取り付ける状態を示した要部の拡大断面図である。
【図２８】この発明を電子辞書に適用した実施形態６において要部を示した拡大断面図である。
【図２９】図２８のキートップにスピーカを取り付ける状態を下から見た拡大図である。
【図３０】図２８のキートップに対するスピーカの取付高さを変えた状態を示した要部の拡大断面図である。
【符号の説明】
【００７９】
１、２  第１、第２ケース  
３  ヒンジ部
４  上ケース
５  下ケース
６  キー入力部
７、２５、３０、４１  スピーカ部
９、３１  足部
１２、５０、５５  スピーカ
１３  足ケース
１５、２７、３２  ガイド部
１６、２８  円筒部
１７、３６  足ガイド溝
１８  突起部
２０  ばね部材
２６  スピーカケース
２９  スピーカガイド溝
３３  外側突起部
３４  補助ガイド部
３５  内側突起部
４０  キー
４２  スイッチ基板
４３  キーシート
４３ａ  ドーム部
４５  キートップ
４７  円形孔
５１  円筒部
５２  雌ねじ
５３  雄ねじ
５５ａ  係合突起
５６  四角形孔
５７  保持部
５７ａ  保持溝
【図１】
2008257529.tif 000003
【図２】
2008257529.tif 000004
【図３】
2008257529.tif 000005
【図４】
2008257529.tif 000006
【図５】
2008257529.tif 000007
【図６】
2008257529.tif 000008
【図７】
2008257529.tif 000009
【図８】
2008257529.tif 000010
【図９】
2008257529.tif 000011
【図１０】
2008257529.tif 000012
【図１１】
2008257529.tif 000013
【図１２】
2008257529.tif 000014
【図１３】
2008257529.tif 000015
【図１４】
2008257529.tif 000016
【図１５】
2008257529.tif 000017
【図１６】
2008257529.tif 000018
【図１７】
2008257529.tif 000019
【図１８】
2008257529.tif 000020
【図１９】
2008257529.tif 000021
【図２０】
2008257529.tif 000022
【図２１】
2008257529.tif 000023
【図２２】
2008257529.tif 000024
【図２３】
2008257529.tif 000025
【図２４】
2008257529.tif 000026
【図２５】
2008257529.tif 000027
【図２６】
2008257529.tif 000028
【図２７】
2008257529.tif 000029
【図２８】
2008257529.tif 000030
【図２９】
2008257529.tif 000031
【図３０】
2008257529.tif 000032